(57)【特許請求の範囲】
【請求項１】
固定具（１）により、内壁および間仕切（１１）の上部を梁（１０）に固定する住宅の制振構造において、該固定具（１）は、梁（１０）に嵌合する接続部（２）と、内壁および間仕切（１１）を嵌合する挟持部と、該接続部（２）に対して挟持部の位置を調節する調節部材であるボルト（４）とにより構成し、前記接続部（２）は上面視コの字形状に構成し、該接続部（２）の下端は、側面より内側かつ水平方向に張り出して張出部（２ｃ・２ｃ）を構成し、前記挟持部を、上部挟持体（５）と下部挟持体（６）の上下２つの部材により構成し、該上部挟持体（５）と下部挟持体（６）とにより、該張出部（２ｃ・２ｃ）の部分を上下から挟持し、該上部挟持体（５）と下部挟持体（６）とは一体的に、該張出部（２ｃ・２ｃ）に沿って、前記ボルト（４）の操作により水平に移動可能とし、該固定具（１）により、内壁および間仕切（１１）の上部を梁（１０）に固定することを特徴とする住宅の制振構造。
【請求項２】
請求項１記載の住宅の制振構造において、該接続部（２）の側部には梁（１０）に、接続部（２）を嵌合する為の嵌合部（３）を開口し、該嵌合部（３）は水平方向に開放部を設け、該開放部は奥底側が若干広く、かつ、開放部側の角部は側面視丸みをおびた形状に構成し、該嵌合部（３）に梁（１０）を嵌合し、該調節部材であるボルト（４）を固定するストッパ部材（９）、又は挟持部の位置決めを行う固定度向上部材（８）を装着可能とし、該ストッパ部材（９）又は固定度向上部材（８）の水平部は、前記接続部（２）の前面の下端と、前記上部挟持体（５）上面の間に挿入し、かつ、該接続部（２）の内側に突出した突起部（２ｂ）に当接させ、ストッパ部材（９）を保持し、該接続部（２）と上部挟持体（５）の隙間を埋め、固定具（１）のがたつきを減らし、かつ、調節部材であるボルト（４）の回動を規制し、上部挟持体５、下部挟持体６の位置を固定することを特徴とする住宅の制振構造。
【請求項３】
請求項１又は２のいずれかに記載の住宅の制振構造を、１つもしくは複数箇所に用いて、梁（１０）に内壁および間仕切（１１）を固定することを特徴とする住宅の制振工法。
【発明の詳細な説明】
【０００１】
【発明の属する技術分野】
本発明は、交通振動による影響を抑制する住宅の制振構造および制振工法に関するものである。
【０００２】
【従来の技術】
従来の内壁固定方法について、図１７を用いて説明する。図１７は、従来の梁と内壁および間仕切の構成を示す斜視図である。図１７において、内壁および間仕切１１は梁１０の下方に位置決めされた後に、配設されるものである。内壁および間仕切１１と梁１０の隙間には、クサビ１８が挿入される。これにより、内壁および間仕切１１の上部を梁１０に固定するものである。また、特開平１１−２１０１３４に示されるように、Ｌ字形の金具を間仕切の枠に釘うちすることにより固定する方法も知られている。
【０００３】
【発明が解決しようとする課題】
人口の密集化は、建設作業の増加、工場および事業所周辺の宅地化、交通量の増加を招き、振動公害が問題視されてきている。振動公害は主に、建設作業、工場、事業所、道路交通を発生源とするものである。これらの振動が建物に伝達され建物内の住人に違和感を与える場合がある。本発明者等は、居住者のより高い水準における快適な生活を確保すべく、研究を行った。そして、住宅に伝達される交通振動等の振動伝達特性は、住宅の内装および外装により左右されるところが大きいことを見出したものである。住宅の外装および内装の取り付け剛性を向上させることにより、交通振動の伝達による住宅の揺れを低減できるものである。しかし、従来の内壁および間仕切の配設方法においては、前述のごとく、内壁および間仕切の上部がクサビにより固定されており、交通振動に対抗する剛性を想定した内壁および間仕切の取付構成とはなっていない。また、特開平１１−２１０１３４に示される技術においても、Ｌ字状の金具により簡易的に間仕切を固設するものであり、十分な間仕切の取付剛性を得ることは難しい。さらに、金具は梁の直下に配設された枠固定のための部材に釘うちにより内壁および間仕切を固設するため、微調整を行うことが困難である。
【０００４】
【課題を解決するための手段】
上記の課題を解決すべく、次のように構成したものである。
【０００５】
請求項１においては、固定具（１）により、内壁および間仕切（１１）の上部を梁（１０）に固定する住宅の制振構造において、該固定具（１）は、梁（１０）に嵌合する接続部（２）と、内壁および間仕切（１１）を嵌合する挟持部と、該接続部（２）に対して挟持部の位置を調節する調節部材であるボルト（４）とにより構成し、前記接続部（２）は上面視コの字形状に構成し、該接続部（２）の下端は、側面より内側かつ水平方向に張り出して張出部（２ｃ・２ｃ）を構成し、前記挟持部を、上部挟持体（５）と下部挟持体（６）の上下２つの部材により構成し、該上部挟持体（５）と下部挟持体（６）とにより、該張出部（２ｃ・２ｃ）の部分を上下から挟持し、該上部挟持体（５）と下部挟持体（６）とは一体的に、該張出部（２ｃ・２ｃ）に沿って、前記ボルト（４）の操作により水平に移動可能とし、該固定具（１）により、内壁および間仕切（１１）の上部を梁（１０）に固定するものである。
【０００６】
請求項２においては、請求項１記載の住宅の制振構造において、該接続部（２）の側部には梁（１０）に、接続部（２）を嵌合する為の嵌合部（３）を開口し、該嵌合部（３）は水平方向に開放部を設け、該開放部は奥底側が若干広く、かつ、開放部側の角部は側面視丸みをおびた形状に構成し、該嵌合部（３）に梁（１０）を嵌合し、該調節部材であるボルト（４）を固定するストッパ部材（９）、又は挟持部の位置決めを行う固定度向上部材（８）を装着可能とし、該ストッパ部材（９）又は固定度向上部材（８）の水平部は、前記接続部（２）の前面の下端と、前記上部挟持体（５）上面の間に挿入し、かつ、該接続部（２）の内側に突出した突起部（２ｂ）に当接させ、ストッパ部材（９）を保持し、該接続部（２）と上部挟持体（５）の隙間を埋め、固定具（１）のがたつきを減らし、かつ、調節部材であるボルト（４）の回動を規制し、上部挟持体５、下部挟持体６の位置を固定するものである。
【０００７】
請求項３においては、請求項１又は２のいずれかに記載の住宅の制振構造を、１つもしくは複数箇所に用いて、梁（１０）に内壁および間仕切（１１）を固定するものである。
【０００８】
【発明の実施の形態】
以下に本発明の実施形態について、図面を用いて詳細に説明する。
【０００９】
図１は住宅の躯体構成を示す斜視図、図２は住宅の内装および外装の配置を示す図、図３は内壁および間仕切の取り付け構成を示す図、図４は固定具の上方斜視図、図５は同じく下方斜視図、図６は固定具の正面図、図７は同じく後ろ面図、図８は同じく側面図、図９は同じく上面図、図１０はＡ−Ａ線断面図、図１１は固定具の分解斜視図、図１２は固定具の取り付け状態を示す斜視図、図１３は固定具の調節機構を示す側面断面図、図１４はストッパを取り付けた構成を示す側面図、図１５は同じく平面図、図１６は固定度向上部材を装着した構成を示す側面図である。
【００１０】
図１において、住宅の躯体構成について説明する。住宅の躯体１００は、主に梁１０１および柱１０２により構成される梁勝ちラーメン構造の躯体であり、該躯体１００は下部を地面に埋設された基礎１０３上に立設されている。柱１０２は基礎１０３と梁１０１もしくは上下に配設された梁１０１・１０１間に配設されるものであり、住宅の各階においてバランス良く配設されるものである。梁１０１は通し梁であり、該梁１０１に小梁が接続されるとともに、梁は水平ブレースにより接続されている。これにより、住宅躯体１００の水平方向の対抗力を向上させるものである。そして、梁１０１上にはＡＬＣが配設され、床面が構成されるものである。
【００１１】
次に、住宅内の内装および外装の構成について図２を用いて説明する。図２に示すごとく、住宅の各階には複数本の柱１０２が配設され、該柱１０２は主に住宅の外周部かつ隅部に多く配設されている。本発明においては、図２において斜線部で示した、住宅の内装および外装の躯体への取り付け剛性を向上させるものである。住宅の内装および外装の取付け剛性を向上させることにより、交通振動などの振動公害に強い住宅を構成できるものである。住宅の外装および内装の取付剛性を向上させるので、住宅の居住空間への影響がなく、容易に振動対策をとることができる。さらに、内装である内壁は住宅の内側に構成さえれるため、住宅の中心に近い位置において振動に対抗することができる。これにより、振動の低減を効果的におこなうことができるものである。
【００１２】
住宅の内装および外装の取付け剛性を向上させ、振動に強い住宅を構成する方法は、内装および外装を有する住宅に適用できるものである。このため、ほぼすべての住宅に利用することができる。例えば、柱勝ちの鉄骨住宅においては、特に、住宅の外周に通し柱が位置するため、内装の取り付け剛性を向上させることにより、振動の影響を受けにくい住宅を構成することができるものである。
【００１３】
次に、内装の内壁および間仕切の取り付け剛性を向上させる実施例について説明する。この実施例においては、内壁および間仕切１１の上部を、固定具により直接梁１０に固設するものである。梁１０としては、前記の大梁１０１もしくは大梁１０１に接続する小梁を利用することができる。図３において、固定具１は梁１０と内壁および間仕切１１を接続し、内壁および間仕切１１の上部を梁１０に固定するものである。固定具１は梁１０に固設され、該梁１０の下方に配設される内壁および間仕切１１の上部を固定する。梁１０には複数個の固定具１が配設され、該固定具１より内壁および間仕切１１の上部が梁１０に固定されるものである。該間仕切枠１１に石膏ボード１２などを貼設し内壁および間仕切壁が構成されるものである。内壁および間仕切１１の下部は釘止めなどにより床面を構成する部材に固設される。
【００１４】
固定具１の上部は梁１０に固設され、固定具１の下部は内壁および間仕切壁の上部に固設される。これにより、間仕切壁が梁１０に固定され内装である間仕切壁の接続剛性が向上し、内装を含めた住宅の剛性が向上する。上記構成において、間仕切１１の下部を固定する釘もしくはネジの数を増し、間仕切１１の下部の取り付け剛性をさらに向上させることも可能である。また、隣り合った間仕切１１を釘もしくはネジにより固定し、間仕切１１間の接続剛性を向上させ、内装の取付剛性を向上することも可能である。
【００１５】
次に、固定具１の構成について、図４乃至図９を用いて説明する。固定具１は、接続部２、上部挟持体５、下部挟持体６およびボルト４により構成されるものである。ここで、上部挟持体５、下部挟持体６により固定具１の挟持部が構成され、ボルト４は調節部材を構成するものである。接続部２は図９に示すごとく、上面視コの字形状に構成されている。接続部２の側部には梁１０に該接続部２を取り付けるための嵌合部３が設けられている。嵌合部３は図８に示すごとく、開放部側が若干広くなった形状になっており、開放部側の角部は側面視丸みをおびた形状に構成されている。これにより、接続部２を梁１０に嵌合させる際に、作業を円滑に行うことができる。
【００１６】
接続部２には、図６、図８および図９に示すごとく、ボルト４が該接続部２の正面側より挿入されており、該接続部２の下部には側面より内側に凸の突起部２ｂが構成されている。さらに、接続部２の下端は側面より内側かつ水平方向に張り出した張出部２ｃ・２ｃが設けられている。該張出部２ｃの上面は、図６に示すごとく、接続部２の前面の下端より下方に位置している。また、前記突起部２ｂは、接続部２の前面の下端より上方に位置している。
【００１７】
上部挟持体５は、図４および図８に示すごとく、水平に配設した板体の一端を下方に折り曲げ、水平部分の中央部を上方に折り曲げた形状に構成されている。上部挟持体５の垂直部分の幅は水平部分の幅より若干広く構成されており、該上部挟持体５の水平部分には引起し部５ｂが構成されている。該引起し部５ｂには、ボルト４が引起し部５ｂに垂直に螺装されている。
【００１８】
下部挟持体６は図８に示すごとく、逆Ｌ字型に構成されており、下部挟持体６の上面が接続部２の下面に当接する構成になっている。下部挟持体６の上面には、図５に示すごとく、上方に凸に構成された凸部６ｂが構成されている。該凸部６ｂの左右の幅は、前述した接続部２の張出部２ｃの間隔に一致する構成になっている。下部挟持体６の前部は、図８に示すごとく、下方に折れ曲がった形状に構成されており、下端は若干前方に折れ曲がっている。該下部挟持体６の前部には、図６に示すごとく、複数個の孔が設けられている。
【００１９】
前述の上部挟持体５と下部挟持体６は、図５に示すごとく、それぞれ水平に構成した上部において、リベット７・７により接続されている。これにより、上部挟持体５と下部挟持体６は一体的に動作するものである。上部挟持体５の垂直部分（後部）と下部挟持体６の垂直部分（前部）の間隔は間仕切の幅に一致するように構成されており、該上部挟持体５の垂直部分と下部挟持体６の垂直部分の間に間仕切１１を嵌合させるものである。また、下部挟持体６には前述のごとく、複数個の孔が設けられており、該孔を介して間仕切１１に、釘もしくはネジにより、下部挟持体６を固設することができるものである。
【００２０】
ボルト４は接続部２の前面より挿入され、上部挟持体５の引起し部５ｂに螺装されている。該ボルト４には、さらに図９に示すごとく、接続部２の後面と引起し部５ｂ間にナット４ｂが螺装されている。ボルト４は接続部２に設けられた孔に遊嵌された状態にあり、接続部２に対して、自由に軸方向に回動することができるものである。しかし、前述のナット４ｂを接続部２の前方方向に締付けることにより、ボルト４を接続部２に対して固定することも可能である。
【００２１】
次に、固定具１の位置調節機構について、図１０乃至図１３を用いて説明する。前述のごとく、上部挟持体５は下部挟持体６の凸部６ｂとリベット７により接続されている。このため、上部挟持体５の水平部分と下部挟持体６の水平部分に間隙が生じる。そして、この間隙には接続部２の張出部２ｃ・２ｃが、位置する構成となっている。上記の構成により、上部挟持体５と下部挟持体６は、一体的に、接続部２の張出部２ｃに沿って水平に移動可能となるものである。すなわち、接続部２の張出部２ｃは、上部挟持体５と下部挟持体６により挟持される構成となっている。また、上部挟持体５は下部挟持体６より厚みのある板体により構成されている。
【００２２】
固定具１は、図１１に示すごとく、上部挟持体５の水平部下方に接続部２の張出部２ｃが、張出部２ｃの下方に下部挟持体６が位置するものである。そして、上部挟持体５の水平部と下部挟持体６の凸部６ｂは図示しないリベットにより接合されるものである。ボルト４は接続部２に挿嵌した後に、ナット４ｂが螺装され、上部挟持体５の引起し部５ｂに螺装されるものである。上部挟持体５の引起し部５ｂにはネジ孔が設けられており、該ネジ孔にボルト４が螺装されている。図１２に示すごとく、接続部２を梁１０の下部に嵌合させた場合に、ボルト４が前面に位置する。また、複数個の孔を設けた下部挟持体６も前面に位置する。前述のごとく、引起し部５ｂにはネジ溝を設けた孔に、ボルト４が螺装されているので、ボルト４を回動することにより上部挟持体５の位置をボルト４の軸心方向に調節することができる。
【００２３】
図１３（ａ）は上部挟持体５が前方に移動する状態を示すものであり、図１３（ｂ）は上部挟持体５が前方に移動する状態を示すものである。図１３（ａ）に示すごとく、ボルト４を時計回りに回動することにより、上部挟持体５および下部挟持体６を前方に移動させることができ、図１３（ｂ）に示すごとく、ボルト４を反時計回りに回動することにより、上部挟持体５および下部挟持体６を後方に移動させることができる。図１２に示すごとく、ボルト４が接続部２において梁１０に対して反対側に位置するため、ボルトの回動を行いやすく、上部挟持体５の位置調整を行いやすくなるものである。これにより、施工時に数ミリ単位の位置のずれが生じても、容易に対応できるものであり、梁に対して間仕切１１ががたつくことがない。すなわち、容易な施工作業により、間仕切１１の取付剛性を向上できるものである。
【００２４】
固定具１にはさらに、図１４および図１５に示すように、ストッパ部材９を装着して、接続部２と上部挟持体５の隙間を埋め、がたつきを減らすことができる。ストッパ部材９は側面視略Ｌ字形状をしており、接続部２の前面より挿入される水平部  およびボルト４に当接する垂直部より構成されている。さらにストッパ部材９は、平面視Ｕ字状に構成されており、該ストッパ部材９を挿入した際に、引起し部５ｂに当接しない構成となっている。該ストッパ部材９の水平部は、接続部２の前面の下端と、上部挟持体５上面の間に挿入される。そして、接続部２の内側に突出した突起部２ｂに当接することにより、ストッパ部材９がガタツクことなく保持されるものである。これにより、接続部２と上部挟持体５の隙間を埋め、固定具１のがたつきを減らし、梁１０と内壁もよび間仕切り１１の接続剛性を向上させることができる。さらに、ボルト４の回動をストッパ部材９により規制し、上部挟持体５、下部挟持体６の位置を固定することもできる。
【００２５】
固定具１は、梁１０に取り付けられ、間仕切１１を固定するものである。まず、梁１０の下方に断熱材１３が配設され、固定具１が梁１０に取り付けられる。そして、ボルト４により固定具１の下部の位置調整を行った後に、固定具１にストッパ部材９を装着する。次に、上部挟持体５と下部挟持体６により構成される固定具１の下部に間仕切１１の上部を挿入し、固定具１と間仕切１１を接続し、間仕切１１に石膏ボード１２を取り付ける。これにより、間仕切壁が構成されるものである。
【００２６】
固定具１に固定度向上部材８を装着し、接続部２と上部挟持体の隙間を埋め、固定具１による内壁および間仕切１１の取り付け剛性を向上させることができる。固定度向上部材８と前述のストッパ部材９は同じ機能を有するものであり、内壁枠の出入寸法によって使い分けるものである。下部挟持体６が、接続部２のボルト４が挿入された面より、梁１０から離れた位置にある場合にはストッパ９を装着しする。そして、下部挟持体６が、接続部２のボルト４が挿入された面より、梁１０に近い、図１６に示すような位置にある場合には固定度向上部材８を装着しする。さらに、固定度向上部材８とストッパ部材９を同一の部材として、内壁および間仕切１１の梁１０に対する出入り寸法によって、装着状態を変更することができる。また、固定度向上部材８により上部挟持体５と下部挟持体６の位置を決め、間仕切壁の位置決めを行うことも可能である。図１６においては、側面視逆Ｌ字状の固定度向上部材８の水平に構成された部分が、固定具１の前面より装着されている。固定度向上部材８は突起部２ｃと上部挟持体５に挟持され、その位置を保持できるものである。また、固定具１の製作精度を上げ、接続部２、上部挟持体５および下部挟持体６間の隙間を減らし、固定度向上部材８もしくはストッパ部材９を用いることなく、固定具１による梁１０と内壁および間仕切１１の取り付け剛性を向上させることもできる。
【００２７】
上述のごとく、固定具１を用いて間仕切の上部を梁に固定するため、住宅の内装の剛性が向上する。これにより、住宅に交通振動などの振動が伝達された場合に、住宅の揺れを抑え、快適な居住環境を構成することができる。交通振動による住宅の揺れは、地震における揺れとは異なり、住宅の内装の取り付け剛性を高めることにより、抑制することができる。このため、前述のごとく、住宅の内装を構成する内壁および間仕切の取り付け剛性を向上させることにより、交通振動による住宅の揺れを効率的に抑制できるものである。また、住宅の内装の取り付け剛性を向上させることにより、小地震に対する住宅の抵抗力を向上できるものである。しかし、中・大地震などによる過度の振動が住宅に伝達された際には、固定具が変形もしくは破損し、抵抗しないようにしている。
【００２８】
【発明の効果】
請求項１に記載の如く、固定具（１）により、内壁および間仕切（１１）の上部を梁（１０）に固定する住宅の制振構造において、該固定具（１）は、梁（１０）に嵌合する接続部（２）と、内壁および間仕切（１１）を嵌合する挟持部と、該接続部（２）に対して挟持部の位置を調節する調節部材であるボルト（４）とにより構成し、前記接続部（２）は上面視コの字形状に構成し、該接続部（２）の下端は、側面より内側かつ水平方向に張り出して張出部（２ｃ・２ｃ）を構成し、前記挟持部を、上部挟持体（５）と下部挟持体（６）の上下２つの部材により構成し、該上部挟持体（５）と下部挟持体（６）とにより、該張出部（２ｃ・２ｃ）の部分を上下から挟持し、該上部挟持体（５）と下部挟持体（６）とは一体的に、該張出部（２ｃ・２ｃ）に沿って、前記ボルト（４）の操作により水平に移動可能とし、該固定具（１）により、内壁および間仕切（１１）の上部を梁（１０）に固定するので、容易に内壁および間仕切の上部を梁に固定することができる。これにより、住宅の内装の取り付け剛性を向上でき、交通振動などの振動公害に影響を受けにくい住宅を構成することができる。
また、梁に嵌合する接続部と内壁および間仕切を接続する挟持部と接続部に対して挟持部の位置を調節する調節部材とにより構成された内壁および間仕切の固定具において、挟持部を上下２つの部材により構成し、該２つの部材により接続部の一端を挟持する固定具により内壁および間仕切の上部を梁に固定するので、容易な構成により施工性の良好な内壁および間仕切の固定具を構成でき、固定具を安価に構成できる。
以上の如く、住宅の外装および内装の取り付け剛性を向上させることにより、交通振動の伝達による住宅の揺れを低減できるものである。
【００２９】
請求項２に記載の如く、該接続部（２）の側部には梁（１０）に、接続部（２）を嵌合する為の嵌合部（３）を開口し、該嵌合部（３）は水平方向に開放部を設け、該開放部は奥底側が若干広く、かつ、開放部側の角部は側面視丸みをおびた形状に構成し、該嵌合部（３）に梁（１０）を嵌合し、該調節部材であるボルト（４）を固定するストッパ部材（９）、又は挟持部の位置決めを行う固定度向上部材（８）を装着可能とし、該ストッパ部材（９）又は固定度向上部材（８）の水平部は、前記接続部（２）の前面の下端と、前記上部挟持体（５）上面の間に挿入し、かつ、該接続部（２）の内側に突出した突起部（２ｂ）に当接させ、ストッパ部材（９）を保持し、該接続部（２）と上部挟持体（５）の隙間を埋め、固定具（１）のがたつきを減らし、かつ、調節部材であるボルト（４）の回動を規制し、上部挟持体５、下部挟持体６の位置を固定するので、ストッパ部材（９）を保持し、該接続部（２）と上部挟持体（５）の隙間を埋め、固定具（１）のがたつきを減らし、梁（１０）と内壁もよび間仕切（１１）の接続剛性を向上し、かつ、調節部材であるボルト（４）ルト４の回動をストッパ部材９により規制し、上部挟持体５、下部挟持体６の位置を固定することが可能となったのである。
また、容易な構成により施工性の良好な内壁および間仕切の固定具を構成でき、固定具を安価に構成できる。また、内壁および間仕切の位置決め作業を容易にことなうことができ、施工作業にかかる労力を軽減できる。
また、
【００３０】
請求項３に記載の如く、住宅の制振構造を、１つもしくは複数箇所に用いて、梁（１０）に内壁および間仕切（１１）を固定するので、住宅の内装の取り付け剛性を向上でき、交通振動などの振動公害に影響を受けにくい住宅を構成することができる。
住宅の内装である内壁および間仕切の取付剛性を向上するので、住宅に中心近傍に振動に対抗する部材を配設することなり、住宅の制振性を向上できる。
また、内壁および間仕切の位置決め作業を容易にことなうことができ、施工作業にかかる労力を軽減できる。住宅の内装の取り付け剛性を向上でき、交通振動などの振動公害に影響を受けにくい住宅を構成することができる。
【図面の簡単な説明】
【図１】  住宅の躯体構成を示す斜視図。
【図２】  住宅の内装および外装の配置を示す図。
【図３】  内壁および間仕切の取り付け構成を示す図。
【図４】  固定具の上方斜視図。
【図５】  同じく下方斜視図。
【図６】  固定具の正面図。
【図７】  同じく後ろ面図。
【図８】  同じく側面図。
【図９】  同じく上面図。
【図１０】  Ａ−Ａ線断面図。
【図１１】  固定具の分解斜視図。
【図１２】  固定具の取り付け状態を示す斜視図。
【図１３】  固定具の調節機構を示す側面断面図。
【図１４】  ストッパを取り付けた構成を示す側面図。
【図１５】  同じく平面図。
【図１６】  固定度向上部材を装着した構成を示す側面図。
【図１７】  従来の梁と内壁および間仕切の構成を示す斜視図。
【符号の説明】
１  固定具
２  接続部
２ｂ  突起部
２ｃ  張出部
４  ボルト
５  上部挟持体
５ｂ  引起し部
６  下部挟持体
６ｂ  凸部
１０  梁
１１  間仕切
【図１】
0003965011.tif 000002
【図２】
0003965011.tif 000003
【図３】
0003965011.tif 000004
【図４】
0003965011.tif 000005
【図５】
0003965011.tif 000006
【図６】
0003965011.tif 000007
【図７】
0003965011.tif 000008
【図８】
0003965011.tif 000009
【図９】
0003965011.tif 000010
【図１０】
0003965011.tif 000011
【図１１】
0003965011.tif 000012
【図１２】
0003965011.tif 000013
【図１３】
0003965011.tif 000014
【図１４】
0003965011.tif 000015
【図１５】
0003965011.tif 000016
【図１６】
0003965011.tif 000017
【図１７】
0003965011.tif 000018